(57)【要約】      （修正有） 【課題】寝たままの状態や座った状態の被介護者を染髪する際に多くの湯水を用いた洗髪が可能で、コンパクトに収納でき運搬に便利であると共に、使用に際して簡単に設置できる介護用洗髪具を提供する。【解決手段】立設壁部と長尺シート状の導水部とからなる介護用洗髪具であって、立設壁部１０は空気等を注入して膨らませて形成する軟質樹脂製の略円形であり、一部に立設壁部を有さない通水路１２を有し、内部領域は受水部１で、通水路は立設壁部内の受水部の湯水を外部に流し、長尺シート状の導水部２は通水路に続いた位置に形成され、立設壁部内の湯水を通水路と導水部によって外部に流す通路を構成し、導水部のシートの両側部分にはシートの両側同士を着脱自在に係止する係止部２１を有する。【選択図】図３
0003228770.tif 000002
【実用新案登録請求の範囲】
【請求項１】
立設壁部１０と長尺シート状の導水部２とからなる介護用洗髪具であって、
立設壁部１０は空気等を注入して膨らませて形成する軟質樹脂製の略円形の立設壁部１０であり、
該円形の立設壁部１０の一部は立設壁部を有さない通水路１２を有する略円形の立設壁部１０であり、
該立設壁部１０を構成する内部領域は受水部１を構成し、
通水路１２は立設壁部１０内の受水部１の湯水を外部に流すための通水路１２であり、
長尺シート状の導水部２はこの通水路１２に続いた位置に形成するものであって、立設壁部１０内の湯水を通水路１２と導水部２によって外部に流す通路を構成し、
該長尺シート状の導水部２のシートの両側部分には該シートの両側同士を着脱自在に係止するための係止部２１を有することを特徴とする介護用洗髪具。
【請求項２】
軟質樹脂製の略円形の立設壁部１０に代えて、略Ｕ字状の立設壁部１０を有し、
略Ｕ字型の立設壁部１０の両端部の立設壁部１０のない立設壁部１０の端部同士の間が受水部１内の湯水を外部に流すための通水路１２を形成することを特徴とする請求項１記載の介護用洗髪具。
【請求項３】
軟質樹脂製の略円形の立設壁部１０が、一部に角部を有する立設壁部１０によって形成することを特徴とする請求項１記載の介護用洗髪具。
【請求項４】
軟質樹脂製の略Ｕ字状の立設壁部１０が、一部に角部を有する立設壁部１０によって形成することを特徴とする請求項２記載の介護用洗髪具。
【請求項５】
軟質樹脂製の立設壁部１０を有する受水部１の中央部にはクッション材が内在する頭受部１１を有することを特徴とする請求項１乃至４のいずれかに記載の介護用洗髪具。
【請求項６】
長尺シート状の導水部２のシートの両側部分に設けた該シートの両側同士を係止する着脱自在の係止部２１は少なくともそれぞれ片側に２か所ずつ有することを特徴とする請求項１乃至５のいずれかに記載の介護用洗髪具。
【請求項７】
係止部２１が面ファスナーにより形成することを特徴とする請求項１乃至６のいずれかに記載の介護用洗髪具。
【考案の詳細な説明】
【技術分野】
【０００１】
本考案は、被介護者が寝た状態或いは座った状態で介護者により洗髪することができる介護用洗髪具に関する。
【背景技術】
【０００２】
従来より、身体が不自由な人や高齢者或いは介護を必要としている人に対して洗髪を行うことは介護行為の一環として行われているものである。
これは自らが洗髪するのに不自由な人を介護して介護者が被介護者の洗髪を行うことであり、現在は病院や老人ホーム或いは介護ホーム等においては行われている。
この場合例えば風呂場などに赴くことのできる被介護者であれば通常の洗髪行為を行うことにより洗髪は可能である。
【０００３】
しかし通常の病室や介護室で座ったままで洗髪をしなければならないような場合、或いは寝たままの状態の介護者を洗髪しなければならない場合等もある。
この場合には介護用の洗髪具が用いられている。
例えば特開２０１７−２００５７６号(特許文献１)及び特開２０１８−１２１６８９号(特許文献２)に示す洗髪用吸収パッドがある。
【０００４】
これは洗髪に使用する湯水を吸収するパッドを有する受水部を有する構成である。
或いは特開平１１−２８２３９号(特許文献３)に示す吸水材を有する受水部を有する構成も存在する。
これらは洗髪時に使用する湯水を受けるための受水部を有すると共にこの湯水を給水するための吸水する部材を配置するものである。
更にシート地から頭を挿入するシートと、挿入した頭を湯水を用いて洗髪する構成を有する特開２００１−２５８６３２号(特許文献４)や特開２００１−１７０１３１号(特許文献５)が存在する。
【先行技術文献】
【特許文献】
【０００５】
【特許文献１】特開２０１７−２００５７６号
【特許文献２】特開２０１８−１２１６８９号
【特許文献３】特開平１１−２８２３９号
【特許文献４】特開２００１−２５８６３２号
【特許文献５】特開２００１−１７０１３１号
【考案の概要】
【考案が解決しようとする課題】
【０００６】
以上の様に、介護用の洗髪具は存在しており、吸水材を用いて洗髪に使用する水を吸水するものであり、更に受水部にこの湯水をためておく構成として存在する。
特に寝たままの状態や座った状態で染髪するものであることから少量の湯水を用いて洗髪する前提での洗髪具として成立しているものである。
従って吸水材等を用いて受水部内の湯水を吸収することなどで洗髪を行うものである。
【０００７】
しかしこれでは使用する湯水の量は極めて少量となることとなり不十分な洗髪となりかねない。
そこで湯水の使用量をより大量に使用する洗髪を可能とする洗髪具の提供が望まれるものである。
即ち介護用洗髪具であるが受水部を用いるが、少なくともこの受水部の容積以上の湯水を用いることができる洗髪具の提供が望まれることとなる。
更に係る介護用の洗髪具がコンパクトに収納できると共に使用に際して簡単に設置できる洗髪具であることも望まれるものであり、これらの要望を満たすことのできる介護用の洗髪具の提供を課題とするものである。
【課題を解決するための手段】
【０００８】
以上のように係る課題を見事に解決するため、まず請求項１に係る考案は、立設壁部と長尺シート状の導水部とからなる介護用洗髪具であって、立設壁部は、空気等を注入して膨らませて形成する軟質樹脂製の略円形の立設壁部であり、該円形の立設壁部の一部は立設壁部を有さない通水路を有する略円形の立設壁部であり、該立設壁部を構成する内部領域は受水部を構成し、通水路は立設壁部内の受水部の湯水を外部に流すための通水路であり、長尺シート状の導水部はこの通水路に続いた位置に形成するものであって、立設壁部内の湯水を通水路と導水部によって外部に流す通路を構成し、該長尺シート状の導水路のシートの両側部分には該シートの両側同士を着脱自在に係止するための係止部を有する介護用洗髪具からなり、係る考案によって前記課題を解決できる。
【０００９】
更に請求項２に係る考案は軟質樹脂製の略円形の立設壁部に代えて、略Ｕ字状の立設壁部を有し、略Ｕ字型の立設壁部の両端部の立設壁部のない立設壁部の端部同士の間が受水部内の湯水を外部に流すための通水路を形成する介護用洗髪具からなり、係る考案を用いてもよい。
或いは請求項３に係る考案に様に軟質樹脂製の略円形の立設壁部が、一部に角部を有する立設壁部によって形成する介護用洗髪具を用いるものであってもよい。
【００１０】
更に請求項４に係る考案は軟質樹脂製の略Ｕ字状の立設壁部が、一部に角部を有する立設壁部によって形成する介護用洗髪具からなり、係る考案を用いるものであってもよい。
これらの場合、請求項５に係る考案のように軟質樹脂製の立設壁部を有する受水部の中央部にはクッション材が内在する頭受部を有する介護用洗髪具を用いるものであってもよい。
【００１１】
更に、請求項６に係る考案のように長尺シート状の導水部のシートの両側部分に設けた該シートの両側同士を係止する着脱自在の係止部は少なくともそれぞれ片側に２か所ずつ有する介護用洗髪具を用いてもよい。
これらの場合請求項７に係る考案のように係止部が面ファスナーにより形成する介護用洗髪具であってもよい。
【考案の効果】
【００１２】
以上のように構成したことから、まず請求項１に係る考案によって受水部をもって被介護者に対する洗髪に際しての湯水を受けることができる。
特に立設壁部により洗髪の湯水を外部にこぼさず、通水部と導水路を用いて受水部内の洗髪に使用した湯水を外部に排出できる。
従って寝た状態の被介護者や座った状態の被介護者に対して、洗髪に際して使用する湯水の量をより多く使用しても外部に適切に排水でき、介護箇所の周囲を不用意に濡らし又は汚すことなく洗髪できるものである。
【００１３】
又、立設壁部は空気等を注入して形成できることから、空気を抜いた滋養体ではコンパクトに収納でき持ち運びや保管に便利である反面使用時には空気などの注入により手早く使用できることとなり、多様な場所で使用できるものとなる。
尚、動水部の係止部により簡単に外部に適切に流すための通路を形成できるものである。
【００１４】
更に請求項２に係る考案によって、略Ｕ字状の立設壁部を有する介護用洗髪具を用いることができるものとなり、より頭の方に近い形状の立設壁部を使用できることとなると共により多様な形状の立設壁部を用いることができる。
また請求項３及び請求項４に係る考案によって、一部に角部を有する立設壁部を用いることができ、より多様な形状の立設壁部の使用を可能とする。
【００１５】
さらに請求項５に係る考案によって受水部の中央部にクッション材が内在する頭受部を有しており、洗髪時の頭が接する位置にクッション材が当たることとなり、被介護者の洗髪時の快適性を高められる。
また請求項６に係る考案により、導水部のシートの両側同士を係止する係止部をそれぞれ片側に２か所ずつ設けたことから、少なくとも二か所で係止でき、導水部による湯水の外部へ流す通路を一定程度長く形成できるものとなり、外部への流れの確保をより確実に行えるものである。
【図面の簡単な説明】
【００１６】
【図１】本考案に係る介護用洗髪具の一例を示す図。
【図２】本考案に係る介護用洗髪具の長尺シート状の導水部の係止具を用いて係止した状態の一例を示す図。
【図３】図２に示す本考案に係る介護用洗髪具の受水部に湯水を流している状態の一例を示す図。
【考案を実施するための形態】
【００１７】
図１は、本考案に係る介護用洗髪具の一例を示す図である。
本図に示すように洗髪用の水をためる受水部１とその水を排水のために導く導水部２とからなる介護用洗髪具である。
空気等を注入して膨らませて形成する軟質樹脂製の略円形の立設壁部１０を有し、この部分を空気により膨らませると立設壁部１０により囲まれた内部領域として受水部１が形成され、洗髪時の湯水を入れることができる。
この立設壁部１０には空気入れ部（図示せず）を有し、この部位より空気の注入及び排出を可能としている。
【００１８】
従って使用する場合には空気を注入することにより壁部の立ち上がりを形成でき、使用後には空気を排出でき、これによって膨らみがなくなり収納状態とすることができる。
従って保管時には極めてコンパクトに折り畳み等ができ、容易に収納することができる。
このように構成したことから介護場所までの移動に際してはコンパクトに収納でき、使用時には受水部として湯水を外部に漏らさないような壁を形成できる。
【００１９】
更にこの立設壁部１０で覆われた内部領域は受水部１となり湯水を入れられるが、この受水部１の中央部にはクッションが内在している頭受部１１を有する。
この頭受部１１はクッションにより弾力を持っており、例えば前頭部や後頭部が接した場合であっても弾力をもって接することができ、洗髪時の被介護者を保護するものである。
尚、このクッションは特殊な各種クッション材を用いるものの他、空気の注入によって空気をクッション材として使用するものであってもよい。
【００２０】
更にこの受水部１の立設壁部１０には一か所受水部内の湯水を外部に流すための立設壁部のない通水路１２を有する。
従って略円形の立設壁部１０にはその円形状の一部に立設した壁部を有さず、壁部が欠けた状態の通水路１２を有している。
更に、この通水路は一切壁部を有しない構成であっても、或いは壁部に孔等が開いており、通水用の部分を有する構成であってもよい。
【００２１】
例えば、当該孔から外部に湯水を流す構成即ち通水路１２を孔等によって構成しているものであってもよい。
この通水路１２を用いて受水部１内の湯水を外部に流すものであるが、更にはこの通水路１２に続いて長尺シート状の導水部２を有する。
従ってこの長尺シート状の導水部２はこの通水路１２に続いた位置に形成しているものである。
更に、この長尺シート状の導水部２は、そのシート状の両側部分にはシート同士の両側を着脱自在に係止するための係止部２１を有する。
【００２２】
係止具２１により長尺シート状の導水部２の両側同士を係止することができ、この導水部２を筒状形状に形成できることとなり、受水部１から排水された湯水をより確実に導くことができ排水用の管として用いることができることとなる。
従って外部に漏れること等を有効に防止できるものである。
このように排水する場合には例えばバケツや排水タンク等をその導水部２の排水の排出端部に置いておくことにより使用済みの湯水をためることができる。
【００２３】
従って風呂場等ではなく病室、介護施設などの介護場所において洗髪などを行うことができる。
この係止具２１に関して本図では面ファスナーを用いた図を示すが、これに限らずシート状の導水部２をシートの両側を係止して筒状に形成し、その筒内部を通って外部に受水部内の湯水を外部に排出することの可能な係止であればよい。
従って面ファスナーに限らず着脱自在な接着部材を有する係止部であっても或いは凹部と凸部とを嵌着等することにより着脱自在に係止できる係止具等一般的に多用されている各種係止具を有するものであってもよい。
【００２４】
少なくとも長尺シート状の導水部２の両側辺部分に係止具２１を有し、該長尺状のシートを丸めた状態で係止具２１を用いて係止して受水部１内の洗髪に使用した湯水を外部に流しだせればよい。
従って長尺シート状の導水部２は係止具２１により筒状形状に形成することにより通水路１２に続いて湯水を外部に流す通路を形成するものとなり、外部に排出できるものとなる。  
【００２５】
更に本図構成において軟質樹脂製の略円形の立設壁部１０を有し、立設壁部１０の部分に空気を挿入することにより膨らませて立設壁部１０を立設状態に形成し、この部分の壁により受水部１を形成する構成を示すが、これに限らず略Ｕ字状の立設壁部１０を有する形態でもよい。
この場合には、略Ｕ字型の立設壁部１０を起立状態としこの部分を受水部１とするものである。  更にこの形態の場合にはこの略Ｕ字状の立設壁部１０の両端部があり、この端部同士の間に若干離れているものであって、この部分には立設壁部は存在していない。
【００２６】
従ってこの立設壁部のない立設壁部の端部同士の間が受水部１内の湯水を外部に流すための通水路１２を形成するものである。
更に、本図に示す略円形の立設壁部１０は、全て弧状に形成されているが、この構成に限らず、一部に角部を有する立設壁部１０によって形成するものであってもよい。
この様に構成しても受水部を形成できると共に必要に応じて任意の形態とするものであってもよい。
更に略Ｕ字状の立設壁部を用いた場合であっても同様に略Ｕ字の一部に角部を有する立設壁部を用いたものであってもよい。
以上のように多様なバリエーション構成を有する立設壁部の提供ができる。
【００２７】
図２は、受水部１に連設している導水部２が、係止具２１の面ファスナーを用いて該長尺状のシートの両側部分を係止して筒状に形成した状態の一例を示す図である。
このように形成することにより受水部１の円形の立設壁部１０を用いて該壁部１０内の近傍に頭を近づけ上部から湯水を用いて洗髪できるものとなり、この際の湯水はこの円形の立設壁部１０内の受水部１内に入れることができる。
これにより周囲に湯水をこぼすことなく介護部屋や病室等内で洗髪ができる。
【００２８】
更にこの洗髪に際して使用した湯水は通水路１２を通って面ファスナーによって筒状に形成している導水部２の空洞内の導水路を通って下方向に流れるものとなる。
このことより洗髪により使用した立設壁部１０内の湯水はこのように受水部１から導水部２を通って外部に流れ出ると共にこのような構成により特定の個所から流れ出るものとなる。
従って係る排出箇所にバケツや排水タンク或いはその他の排水用施設を位置させることにより洗髪により生じた使用済み湯水を適切に排水することができる。
【００２９】
図３は、本考案に係る構成は、介護用洗髪具の面ファスナーによって筒状に形成した導水部２の排水箇所にバケツ３を配置させた状態を示す図であって、受水部１に湯水を流した状態の一例を示す図である。
従ってこの受水部１の上部で被介護者の頭部に湯水をかけて洗髪した場合には本図に示すように通水路１２を通ったうえで導水部２に導かれ、更に導水部２を通ってバケツ３内に排水できるものである。
尚、例えば導水部２の排出部分にパイプ等をつなげて排水施設まで導くものであってよい。
【００３０】
以上のように介護所や病院或いは訪問介護等に際して、本考案に係る介護用洗髪具を用いると洗髪行為を容易に行うことができることとなるばかりでなく、より多くの湯水を使用した清潔な洗髪及び丁寧な洗髪を行うことができることとなる。
更に空気の注入によって形成できる受水部１を有しており、介護所や病院での介護に際してもその保管場所等を取らずに保管することができると共に簡単に持ち運ぶこともでき、併せて簡単に使用状態とすることが簡単にできるものであって、極めて有用な介護用洗髪具を提供できるものである。
従って訪問介護などに際しても極めてコンパクトな道具として持ち運べるものであると共に使用勝手の良い介護用の洗髪具を提供できるものである。 
【符号の説明】
【００３１】
１      受水部
１０    立設壁部
１１    頭受部
１２    通水路
２      導水部
２１    係止部
３      バケツ
【図１】
0003228770.tif 000003
【図２】
0003228770.tif 000004
【図３】
0003228770.tif 000005
【手続補正書】
【提出日】令和2年8月6日(2020.8.6)
【手続補正１】
【補正対象書類名】実用新案登録請求の範囲
【補正対象項目名】全文
【補正方法】変更
【補正の内容】
【実用新案登録請求の範囲】
【請求項１】
立設壁部（１０）と長尺シート状の導水部（２）とからなる介護用洗髪具であって、
立設壁部（１０）は空気を注入して膨らませて形成する軟質樹脂製の略円形の立設壁部（１０）であり、
該円形の立設壁部（１０）の一部は立設壁部を有さない通水路（１２）を有する略円形の立設壁部（１０）であり、
該立設壁部（１０）を構成する内部領域は受水部（１）を構成し、
通水路（１２）は立設壁部（１０）内の受水部（１）の湯水を外部に流すための通水路（１２）であり、
長尺シート状の導水部（２）はこの通水路（１２）に続いた位置に形成するものであって、立設壁部（１０）内の湯水を通水路（１２）と導水部（２）によって外部に流す通路を構成し、
該長尺シート状の導水部（２）のシートの両側部分には該シートの両側同士を着脱自在に係止するための係止部（２１）を有することを特徴とする介護用洗髪具。
【請求項２】
軟質樹脂製の略円形の立設壁部（１０）に代えて、略Ｕ字状の立設壁部（１０）を有し、
略Ｕ字型の立設壁部（１０）の両端部の立設壁部（１０）のない立設壁部（１０）同士の間が受水部（１）内の湯水を外部に流すための通水路（１２）を形成することを特徴とする請求項１記載の介護用洗髪具。
【請求項３】
軟質樹脂製の略円形の立設壁部（１０）が、一部に角部を有する立設壁部（１０）によって形成することを特徴とする請求項１記載の介護用洗髪具。
【請求項４】
軟質樹脂製の略Ｕ字状の立設壁部（１０）が、一部に角部を有する立設壁部（１０）によって形成することを特徴とする請求項２記載の介護用洗髪具。
【請求項５】
軟質樹脂製の立設壁部（１０）を有する受水部（１）の中央部にはクッション材が内在する頭受部（１１）を有することを特徴とする請求項１乃至４のいずれかに記載の介護用洗髪具。
【請求項６】
長尺シート状の導水部（２）のシートの両側部分に設けた該シートの両側同士を係止する着脱自在の係止部（２１）は少なくともそれぞれ片側に２か所ずつ有することを特徴とする請求項１乃至５のいずれかに記載の介護用洗髪具。
【請求項７】
係止部（２１）が面ファスナーにより形成することを特徴とする請求項１乃至６のいずれかに記載の介護用洗髪具。